【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
少なくとも１つのバッテリを充電する方法であって、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電するステップと、前記バッテリを前記第２電圧で前記第２時間期間充電するステップとを繰り返すステップと、
前記第２時間期間の前記終了時において、前記少なくとも１つのバッテリがほぼ完全に充電されている場合、前記少なくとも１つのバッテリの充電を中止するステップと、若しくは、
前記第２時間期間の前記終了時において、前記総充電時間が前記第３時間期間以上である場合、前記少なくとも１つのバッテリの充電を中止するステップと、
を備えた方法。
【請求項２】
請求項１記載の方法において、前記少なくとも１つのバッテリを充電するために必要な総時間は、前記少なくとも１つのバッテリのバッテリ容量を、前記少なくとも１つのバッテリに供給する充電電流で除算した値にほぼ等しい、方法。
【請求項３】
請求項１記載の方法において、前記第１電圧は、前記少なくとも１つのバッテリの充電特性図のほぼ第２プラトーにおける電圧にほぼ等しい、方法。
【請求項４】
請求項３記載の方法において、前記第１電圧は、前記少なくとも１つのバッテリの充電特性図のほぼ第２プラトーにおける電圧にほぼ等しい、方法。
【請求項５】
請求項１記載の方法において、前記第１電圧は、前記少なくとも１つのバッテリの充電特性図の鋭く上昇する曲線の前にある第２プラトーにおける電圧にほぼ等しい、方法。
【請求項６】
請求項１記載の方法において、前記第２電圧は、前記少なくとも１つのバッテリの充電特性図の第２プラトーよりも僅かに高い電圧にほぼ等しい、方法。
【請求項７】
請求項１記載の方法において、前記第２電圧は、前記少なくとも１つのバッテリの充電特性図の鋭く上昇する曲線の屈折部における第２プラトーよりも僅かに高い電圧にほぼ等しい、方法。
【請求項８】
請求項１記載の方法において、前記第１時間期間は、前記少なくとも１つのバッテリに供給する充電電流で前記少なくとも１つのバッテリのバッテリ容量を除算して係数を乗算した値にほぼ等しく、前記係数が０．０２および０．０６の間である、方法。
【請求項９】
請求項１記載の方法において、前記第２時間期間は、前記第１時間期間に係数を乗算した値にほぼ等しく、前記係数は３×１０-5および３×１０-3の間である、方法。
【請求項１０】
少なくとも１つのバッテリを充電する方法であって、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電し、更に前記バッテリを前記第２電圧で前記第２時間期間充電するステップを繰り返すステップと、
前記第２時間期間の前記終了時において、前記少なくとも１つのバッテリがほぼ完全に充電されている場合、前記少なくとも１つのバッテリを第３電圧に設定し、その後前記少なくとも１つのバッテリの充電を中止するステップと、若しくは、
前記第２時間期間の前記終了時において、前記総充電時間が前記第３時間期間以上である場合、前記少なくとも１つのバッテリを第３電圧に設定し、その後前記少なくとも１つのバッテリの充電を中止するステップと、
を備えた方法。
【請求項１１】
請求項１０記載の方法において、第３電圧は、前記少なくとも１つのバッテリの充電特性図の第１プラトーおよび第２プラトー間の電圧にほぼ等しい、方法。
【請求項１２】
請求項１記載の方法において、前記少なくとも１つのバッテリを充電する前記方法の前記ステップを、カットオフ電圧コントローラ／タイマによって制御する、方法。
【請求項１３】
請求項１２記載の方法において、前記カットオフ電圧コントローラ／タイマがマイクロコントローラである、方法。
【請求項１４】
請求項１記載の方法において、前記少なくとも１つのバッテリを充電する前記方法の前記ステップをマイクロコントローラによって制御する、方法。
【請求項１５】
少なくとも１つのバッテリを充電する方法であって、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電し、更に前記バッテリを前記第２電圧で前記第２時間期間充電するステップを繰り返すステップと、
前記第２時間期間の前記終了時において、前記少なくとも１つのバッテリがほぼ完全に充電されている場合、前記少なくとも１つのバッテリの充電を中止するステップと、若しくは、
前記第２時間期間の前記終了時において、前記総充電時間が前記第３時間期間以上である場合、前記少なくとも１つのバッテリの充電を中止するステップと、
を備え、
前記第１電圧は、前記少なくとも１つのバッテリの充電特性図のほぼ第２プラトーにおける電圧にほぼ等しく、
前記第２電圧は、前記少なくとも１つのバッテリの前記充電特性図の前記第２プラトーよりも僅かに高い電圧にほぼ等しく、
前記第１時間期間は、前記少なくとも１つのバッテリに供給する充電電流で前記少なくとも１つのバッテリのバッテリ容量を除算して係数を乗算した値にほぼ等しく、前記係数が０．０２および０．０６の間であり、
前記第２時間期間は、前記第１時間期間に係数を乗算した値にほぼ等しく、前記係数は３×１０-5および３×１０-3の間であり、
前記少なくとも１つのバッテリを充電するために必要な総時間は、前記少なくとも１つのバッテリのバッテリ容量を、前記少なくとも１つのバッテリに供給する充電電流で除算した値にほぼ等しい、方法。
【請求項１６】
少なくとも１つのバッテリを充電する方法であって、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電し、更に前記バッテリを前記第２電圧で前記第２時間期間充電するステップを繰り返すステップと、
前記第２時間期間の前記終了時において、前記少なくとも１つのバッテリがほぼ完全に充電されている場合、前記少なくとも１つのバッテリを第３電圧に設定し、その後前記少なくとも１つのバッテリの充電を中止するステップと、若しくは、
前記第２時間期間の前記終了時において、前記総充電時間が前記第３時間期間以上である場合、前記少なくとも１つのバッテリを第３電圧に設定し、その後前記少なくとも１つのバッテリの充電を中止するステップと、
を備え、
前記第１電圧は、前記少なくとも１つのバッテリの充電特性図のほぼ第２プラトーにおける電圧にほぼ等しく、
前記第２電圧は、前記少なくとも１つのバッテリの前記充電特性図の前記第２プラトーよりも僅かに高い電圧にほぼ等しく、
前記第３電圧は、前記少なくとも１つのバッテリの前記充電特性図の前記第１プラトーおよび前記第２プラトー間の電圧にほぼ等しく、
前記第１時間期間は、前記少なくとも１つのバッテリに供給する充電電流で前記少なくとも１つのバッテリのバッテリ容量を除算して係数を乗算した値にほぼ等しく、前記係数が０．０２および０．０６の間であり、
前記第２時間期間は、前記第１時間期間に係数を乗算した値にほぼ等しく、前記係数は３×１０-5および３×１０-3の間であり、
前記少なくとも１つのバッテリを充電するために必要な総時間は、前記少なくとも１つのバッテリのバッテリ容量を、前記少なくとも１つのバッテリに供給する充電電流で除算した値にほぼ等しい、方法。
【請求項１７】
バッテリ充電システムであって、
電流源と、
カットオフ電圧コントローラ／タイマと、
少なくとも１つのバッテリと、
前記バッテリの各前記それぞれに印加する電圧、および前記バッテリの各前記それぞれに供給する電流を規制する、電圧／電流レギュレータのそれぞれと、
前記カットオフ電圧コントローラ／タイマは、前記電圧／電流レギュレータの制御によって、前記電圧を制御し、前記バッテリの各前記それぞれに印加する前記電圧の時間期間を制御し、
前記バッテリを通過する電流を検知し、前記検知電流を前記カットオフ電圧コントローラ／タイマに伝達する電流検知手段と、
電流を前記バッテリから逸らせるシステム電圧／電流レギュレータと、
を備えているバッテリ充電システム。
【請求項１８】
請求項１７記載のバッテリ充電システムにおいて、当該バッテリ充電システムは、前記少なくとも１つのバッテリを充電するプロセスのステップを実行する、バッテリ充電システム。
【請求項１９】
請求項１７記載のバッテリ充電システムにおいて、前記カットオフ電圧コントローラ／タイマは、前記少なくとも１つのバッテリを充電する前記プロセスのステップを制御する、バッテリ充電システム。
【請求項２０】
請求項１７記載のバッテリ充電システムにおいて、当該バッテリ充電システムは、前記少なくとも１つのバッテリを充電するプロセスのステップを実行し、該ステップが、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電し、更に前記バッテリを前記第２電圧で前記第２時間期間充電するステップを繰り返すステップと、
前記第２時間期間の前記終了時において、前記少なくとも１つのバッテリがほぼ完全に充電されている場合、前記少なくとも１つのバッテリの充電を中止するステップと、若しくは、
前記第２時間期間の前記終了時において、前記総充電時間が前記第３時間期間以上である場合、前記少なくとも１つのバッテリの充電を中止するステップと、
を備え、
前記第１電圧は、前記少なくとも１つのバッテリの充電特性図のほぼ第２プラトーにおける電圧にほぼ等しく、
前記第２電圧は、前記少なくとも１つのバッテリの前記充電特性図の前記第２プラトーよりも僅かに高い電圧にほぼ等しく、
前記第１時間期間は、前記少なくとも１つのバッテリに供給する充電電流で前記少なくとも１つのバッテリのバッテリ容量を除算して係数を乗算した値にほぼ等しく、前記係数が０．０２および０．０６の間であり、
前記第２時間期間は、前記第１時間期間に係数を乗算した値にほぼ等しく、前記係数は３×１０-5および３×１０-3の間であり、
前記少なくとも１つのバッテリを充電するために必要な総時間は、前記少なくとも１つのバッテリのバッテリ容量を、前記少なくとも１つのバッテリに供給する充電電流で除算した値にほぼ等しい、バッテリ充電システム。
【請求項２１】
請求項１７記載のバッテリ充電システムにおいて、当該バッテリ充電システムは、前記少なくとも１つのバッテリを充電するプロセスのステップを実行し、該ステップが、
少なくとも１つのバッテリを第１電圧において第１時間期間充電するステップと、
前記少なくとも１つのバッテリを第２電圧において第２時間期間充電するステップと、
前記第２時間期間の終了時に、前記少なくとも１つのバッテリの充電状態を判定するステップと、
前記第２時間期間の前記終了時に前記少なくとも１つのバッテリがほぼ完全に充電されていない場合、総充電時間を評価して、第３時間期間以上の時間期間にわたって前記少なくとも１つのバッテリを充電したか否か判定を行い、前記総充電時間が前記第３時間期間未満である場合、前記少なくとも１つのバッテリを前記第１電圧で前記第１時間期間充電し、更に前記バッテリを前記第２電圧で前記第２時間期間充電するステップを繰り返すステップと、
前記第２時間期間の前記終了時において、前記少なくとも１つのバッテリがほぼ完全に充電されている場合、前記少なくとも１つのバッテリを第３電圧に設定し、その後前記少なくとも１つのバッテリの充電を中止するステップと、若しくは、
前記第２時間期間の前記終了時において、前記総充電時間が前記第３時間期間以上である場合、前記少なくとも１つのバッテリを第３電圧に設定し、その後前記少なくとも１つのバッテリの充電を中止するステップと、
を備え、
前記第１電圧は、前記少なくとも１つのバッテリの充電特性図のほぼ第２プラトーにおける電圧にほぼ等しく、
前記第２電圧は、前記少なくとも１つのバッテリの前記充電特性図の前記第２プラトーよりも僅かに高い電圧にほぼ等しく、
前記第３電圧は、前記少なくとも１つのバッテリの前記充電特性図の前記第１プラトーおよび前記第２プラトー間の電圧にほぼ等しく、
前記第１時間期間は、前記少なくとも１つのバッテリに供給する充電電流で前記少なくとも１つのバッテリのバッテリ容量を除算して係数を乗算した値にほぼ等しく、前記係数が０．０２および０．０６の間であり、
前記第２時間期間は、前記第１時間期間に係数を乗算した値にほぼ等しく、前記係数は３×１０-5および３×１０-3の間であり、
前記少なくとも１つのバッテリを充電するために必要な総時間は、前記少なくとも１つのバッテリのバッテリ容量を、前記少なくとも１つのバッテリに供給する充電電流で除算した値にほぼ等しい、バッテリ充電システム。